(57)【要約】【課題】貯留タンクの取り外し時に液体が飛散することを抑制できるミスト発生装置及び美容装置を提供する。【解決手段】給水タンクは、貯留した水を外部へ流出させる流出部３３と、流出部３３における水の流出方向の下流側端部となる流出口３２に設けられ、流出口３２を閉塞する閉弁位置と流出口３２を開放する開弁位置とに変位可能な止水板８０とを有し、止水板８０は、給水タンクがタンクホルダに装着された場合に、開弁位置に変位して流出口３２を開放することにより、流出部３３を通じた外部への水の流出を許容する。【選択図】図５
2013240447.tif 000002
【特許請求の範囲】
【請求項１】
液体を貯留する貯留タンクが着脱可能に装着される装着部を有し、該装着部に装着された前記貯留タンクから供給された液体をミスト発生機構でミスト化してミスト放出口から放出するミスト発生装置であって、
前記貯留タンクは、
貯留した前記液体を外部へ流出させる流出部と、
前記流出部における前記液体の流出方向の下流側端部となる流出口に設けられ、該流出口を閉塞する閉弁位置と該流出口を開放する開弁位置とに変位可能な開閉弁と
を有し、
前記開閉弁は、前記貯留タンクが前記装着部に装着された場合に、前記開弁位置に変位して前記流出口を開放することにより、前記流出部を通じた外部への前記液体の流出を許容することを特徴とするミスト発生装置。
【請求項２】
請求項１に記載のミスト発生装置において、
前記装着部の底部には、前記貯留タンクを前記装着部に装着した場合に、前記開閉弁に当接して前記流出部の内奥側に押圧する凸部が設けられ、
前記開閉弁は、前記凸部によって押圧されて前記流出口を開放する開弁位置へと変位する場合に、前記流出部における前記液体の流出方向に沿う方向において傾動することを特徴とするミスト発生装置。
【請求項３】
請求項２に記載のミスト発生装置において、
前記開閉弁を前記流出部における前記液体の流出方向に沿う方向において傾動可能に支持する支持部材を更に備え、
前記支持部材は、
前記開閉弁の傾斜角度を規制する第１の規制部と、
前記開閉弁の傾斜方向を規制する第２の規制部と
を有することを特徴とするミスト発生装置。
【請求項４】
請求項３に記載のミスト発生装置において、
前記流出口における前記支持部材に対する前記開閉弁の傾動中心と対応する位置には、前記流出口の開口を狭める係止部が設けられていることを特徴とするミスト発生装置。
【請求項５】
ミストを放出して肌表面の手入れを行う美容装置において、
請求項１〜請求項４のうち何れか一項に記載のミスト発生装置を有することを特徴とする美容装置。
【発明の詳細な説明】
【技術分野】
【０００１】
本発明は、ミスト発生装置、及びこのミスト発生装置を備えた美容装置に関するものである。
【背景技術】
【０００２】
従来、水等の液体を加熱して生成したミストを顔等の人体に向けて放出することにより、肌に潤いを与える等の美容効果や肌ケアを目的としたミスト発生装置が知られている。このようなミスト発生装置においては、水を貯留する給水タンク（貯留タンク）を備え、この給水タンクから供給された水をミスト化して放出する構成が提案されている（例えば、特許文献１参照）。
【０００３】
特許文献１に記載のミスト発生装置では、給水タンクが、下側開口部を有する有底略筒状のタンク本体と、このタンク本体の下側開口部を覆蓋するキャップとから構成され、そのキャップには水を供給するための供給口が形成されている。そして、キャップがタンク本体の下端部に取り付けられることで構成された給水タンクは、キャップを下方に配置させた状態でタンクホルダに対して装着される。また、キャップの底部には略円筒状の給水部が供給口を囲うように上方に向けて延設されており、この給水部におけるタンク本体内に通じる上端開口部を水密状に覆うようにキャップパッキンが設けられている。
【０００４】
そのため、このミスト発生装置では、給水タンクがタンクホルダに装着されると、タンクホルダの底部から上方に突出した給水バーによってキャップパッキンが上方へ移動させられる。その結果、給水部とキャップパッキンとの間の水密状態が解除されるため、給水タンク内の水が供給口を介して装置内部に供給される。
【先行技術文献】
【特許文献】
【０００５】
【特許文献１】特開２０１１−２００５３８号公報
【発明の概要】
【発明が解決しようとする課題】
【０００６】
ところで、上記のミスト発生装置では、給水タンクにおける給水部の内奥側にキャップパッキンが設けられている。そのため、給水タンクをタンクホルダから取り外す際に、給水部におけるキャップパッキンから供給口に至る空間域に充填されていた水が給水タンクから流出して周囲に飛散してしまうという問題があった。
【０００７】
本発明は、このような事情に鑑みてなされたものであり、その目的は、貯留タンクの取り外し時に液体が飛散することを抑制できるミスト発生装置及び美容装置を提供することにある。
【課題を解決するための手段】
【０００８】
上記目的を達成するために、本発明のミスト発生装置は、液体を貯留する貯留タンクが着脱可能に装着される装着部を有し、該装着部に装着された前記貯留タンクから供給された液体をミスト発生機構でミスト化してミスト放出口から放出するミスト発生装置であって、前記貯留タンクは、貯留した前記液体を外部へ流出させる流出部と、前記流出部における前記液体の流出方向の下流側端部となる流出口に設けられ、該流出口を閉塞する閉弁位置と該流出口を開放する開弁位置とに変位可能な開閉弁とを有し、前記開閉弁は、前記貯留タンクが前記装着部に装着された場合に、前記開弁位置に変位して前記流出口を開放することにより、前記流出部を通じた外部への前記液体の流出を許容する。
【０００９】
また、上記構成において、前記装着部の底部には、前記貯留タンクを前記装着部に装着した場合に、前記開閉弁に当接して前記流出部の内奥側に押圧する凸部が設けられ、前記開閉弁は、前記凸部によって押圧されて前記流出口を開放する開弁位置へと変位する場合に、前記流出部における前記液体の流出方向に沿う方向において傾動することが好ましい。
【００１０】
また、上記構成において、前記開閉弁を前記流出部における前記液体の流出方向に沿う方向において傾動可能に支持する支持部材を更に備え、前記支持部材は、前記開閉弁の傾斜角度を規制する第１の規制部と、前記開閉弁の傾斜方向を規制する第２の規制部とを有することが好ましい。
【００１１】
また、上記構成において、前記流出口における前記支持部材に対する前記開閉弁の傾動中心と対応する位置には、前記流出口の開口を狭める係止部が設けられていることが好ましい。
【００１２】
また、本発明の美容装置は、ミストを放出して肌表面の手入れを行う美容装置において、
上記構成のミスト発生装置を有する。
【発明の効果】
【００１３】
本発明によれば、貯留タンクの取り外し時に液体が飛散することを抑制できる。
【図面の簡単な説明】
【００１４】
【図１】本発明に係る実施形態の美容器の斜視図であって、（ａ）はノズルガードが開位置に配置された状態を示す斜視図、（ｂ）はノズルガードが閉位置に配置された状態を示す斜視図。
【図２】同実施形態の美容器を前後に切断して左側から見た断面図。
【図３】図２の３−３線矢視断面図。
【図４】止水板及び止水ピンの斜視図。
【図５】止水板及び止水ピンが取り付けられたキャップの断面図。
【図６】図５の６−６線矢視断面図。
【図７】美容器における制御装置の斜視図。
【図８】比較例の止水板及び止水ピンが取り付けられたキャップの模式図であって、（ａ）は止水板が閉弁位置にある状態の模式図、（ｂ）は止水板が開弁位置にある状態の模式図。
【図９】本発明に係る実施形態の止水板及び止水ピンが取り付けられたキャップの模式図であって、（ａ）は止水板が閉弁位置にある状態の模式図、（ｂ）は止水板が開弁位置にある状態の模式図。
【図１０】本発明に係る別の実施形態の止水板及び止水ピンが取り付けられたキャップの断面図。
【図１１】同実施形態の止水板及び止水ピンが取り付けられたキャップの模式図であって、（ａ）は止水板が閉弁位置にある状態の模式図、（ｂ）は止水板が開弁位置にある状態の模式図。
【発明を実施するための形態】
【００１５】
以下、本発明を美容器に具体化した一実施形態を図面に従って説明する。なお、以下の説明において、「前（手前）」「後」「上」「下」「左」「右」は、美容器の使用者が、美容器を使用する際に美容器に向いた状態を基準とした場合の「前（手前）」「後」「上」「下」「左」「右」を示すものとする。
【００１６】
図１（ａ）及び図１（ｂ）に示すように、本実施形態の美容器１０は、有底略円筒状の本体ケース１１を備えており、この本体ケース１１には美容器本体１２が収容されて固定されている。美容器本体１２における上ハウジング１３の上面の前側中央部には、上方に開口する開口部１４が形成されている。上ハウジング１３には、この開口部１４と整合させて凹部１５を形成するベース部材１６が組み付けられている。
【００１７】
ベース部材１６には、美容器本体１２に対して支持軸（図示略）を介して回動自在にミストノズル１７が取着されている。ミストノズル１７は、美容器本体１２に対して所定の角度範囲内で上下方向に回動可能となっている。また、ミストノズル１７には、温ミストを放出するミスト放出口１８の周りを覆うように形成されたノズルカバー１９が一体形成されている。そして、ミストノズル１７を上下方向に回動させることで、ミスト放出口１８から放出される温ミストの放出方向を上下方向に調整可能となっている。
【００１８】
ノズルカバー１９におけるミスト放出口１８の下方には、正面視略Ｕ字状のミストガイド２０がノズルカバー１９の外面の法線方向に延設されている。ミストガイド２０は、ミスト放出口１８の下方及び左右側方を囲うように形成されており、左右方向及び下方向から使用者の手指がミスト放出口１８に接近することを規制している。
【００１９】
また、ベース部材１６におけるミストノズル１７の後方には、ミストノズル１７を保護するためにノズルガード２１が上下方向に回動可能に取着されている。ノズルガード２１は、略半円形の平板状に形成されている。そして、ノズルガード２１は、図１（ａ）に示すようにミストノズル１７を露出させて美容器１０を使用可能な開位置と、図１（ｂ）に示すようにミストノズル１７を覆う閉位置との間で上下に回動可能となっている。なお、開位置に配置されたノズルガード２１は、ミストノズル１７のミスト放出口１８からの距離（使用者とミスト放出口１８との距離）を規制することにより、使用者の手がミスト放出口１８に直接触れることを抑制する。
【００２０】
また、ノズルガード２１の後側には、ミストノズル１７から放出する温ミストを発生するのに使用される液体としての水を貯留する貯留タンクとしての給水タンク２２が、美容器本体１２に対し上下方向（鉛直方向）に挿入及び取り出し可能に収納されている。
【００２１】
また、上ハウジング１３の上面におけるミストノズル１７の左前方には、美容器１０の電源をオンオフする際に操作される電源ボタン２３が設けられている。また、上ハウジング１３の上面におけるミストノズル１７の右前方には、複数種類用意された美容器１０の運転モードのうちから１つの運転モードを選択する際に操作されるモード切替ボタン２４が設けられている。また、上ハウジング１３の上面においてモード切替ボタン２４に対して前後に隣り合う位置には、モード切替ボタン２４の操作によって選択された運転モードで美容器１０の運転を開始させる際や美容器１０の運転を停止させる際に操作される運転制御ボタン２５が設けられている。
【００２２】
また、美容器１０の前面における略中央の高さ位置には、帯電微粒子液体発生機構２６により液体を霧化させて発生させた帯電微粒子液体を放出するための帯電微粒子液体放出口２７が設けられている。
【００２３】
次に、美容器本体１２の配管構成について図２及び図３に従って説明する。
図２に示すように、給水タンク２２は、タンク本体２８と、このタンク本体２８の蓋となるキャップ２９とから構成されている。
【００２４】
タンク本体２８は、上下方向に開口する略円筒状の容器本体３０の上側開口部を、略平板状のタンクカバー３１で封止することにより、その全体が有蓋略円筒状をなしている。タンクカバー３１は、平面視において容器本体３０よりも大きく形成されており、給水タンク２２の着脱時における把持部としても機能する。なお、容器本体３０とタンクカバー３１とは溶着によって接合されている。
【００２５】
キャップ２９は、熱可塑性樹脂からなり、その全体が扁平な有底略円筒状をなしている。キャップ２９において、円盤状をなす底部の平面視中央部には、流出口３２が開口形成されている。また、底部の上面側には、流出口３２を囲うように形成され、上方に向けて延びるように円筒状の流出部３３が立設されている。
【００２６】
また、美容器本体１２には、上ハウジング１３の上面に開口し、給水タンク２２を収納可能な装着部としてのタンクホルダ３４が設けられている。タンクホルダ３４の背部には略Ｕ字状の排水口３５が凹設されている。そして、タンクホルダ３４内の水位が排水口３５の底部まで上昇した際には、タンクホルダ３４内の水が排水口３５を通じて外部に排出される。
【００２７】
また、タンクホルダ３４には、給水タンク２２を固定するためのタンクフック３６が設けられている。タンクフック３６は、バネ３７によってタンクホルダ３４に向けて付勢されている。そして、給水タンク２２がタンクホルダ３４に装着されると、タンクフック３６がバネ３７からの付勢力に基づいて給水タンク２２の側面に設けられた溝３８に対して係止することにより、給水タンク２２がタンクホルダ３４に固定される。
【００２８】
また、タンクホルダ３４には、装着される給水タンク２２の下方中央位置に軸受け筒３９が設けられている。軸受け筒３９は、その外周面を基端として前後左右に十字状のリブ４０が延出され、そのリブ４０の先端がタンクホルダ３４に連結されている。そのため、軸受け筒３９は、装着された給水タンク２２の下方中央位置に配置される。
【００２９】
また、タンクホルダ３４の底部には導出口４１が貫通形成されていると共に、この導出口４１と連通する供給パイプ４２が前方に向かって一体形成されている。導出口４１には、供給パイプ４２を貫通した凸部としての給水バー４３が貫挿されている。給水バー４３の先端部は、軸受け筒３９内を軸方向に移動可能に貫挿支持されている。また、給水バー４３には、タンクホルダ３４の導出口４１を閉塞する止水パッキン４４が取り付けられている。また、止水パッキン４４と軸受け筒３９との間にはバネ４５が縮設されている。そのため、給水バー４３は、バネ４５の弾性力によって下方に付勢されている。したがって、美容器１０が水平面に置かれたとき、給水バー４３はバネ４５の弾性力に抗して上動する。一方、美容器１０が持ち上げられて水平面に置かれていない状態では、給水バー４３はバネ４５からの付勢力に基づいて下動することにより、基端が美容器１０の底部から下方に突出する。このとき、給水バー４３の先端は、軸受け筒３９の上部開口端と面一の状態となっている。そして、美容器１０が水平面に置かれると、底部から突出していた給水バー４３が押し込まれて上動することにより、給水バー４３の先端が軸受け筒３９の上部開口から上方に突出するとともに、止水パッキン４４の上動に伴って導出口４１が開放される。その結果、給水タンク２２内の水は、供給パイプ４２を通じてミスト発生機構としてのミスト発生ユニット４６（図３参照）に供給される。
【００３０】
なお、給水バー４３の基端部には、傾斜検知マイクロスイッチバー４７が取り付けられている。傾斜検知マイクロスイッチバー４７は、給水バー４３が押し込まれて上動すると、給水バー４３と一体となって上動する。そして、傾斜検知マイクロスイッチバー４７が所定の位置まで上動すると、タンクホルダ３４に取り付けられた傾斜検知マイクロスイッチ４８が傾斜検知マイクロスイッチバー４７を検出し、その検出信号を制御装置４９（図７参照）に出力する。この構成により、傾斜検知マイクロスイッチ４８は、給水バー４３が押し込まれているか否か、即ち、美容器１０が水平面に置かれているか否かを検出する。そして、制御装置４９は、美容器１０が水平面に置かれている旨を示す検出信号が傾斜検知マイクロスイッチ４８から出力されていない場合には、ミスト発生ユニット４６に設けられたヒータ５０（図３参照）への通電を停止させる。
【００３１】
図３に示すように、ミスト発生ユニット４６は、合成樹脂よりなるミスト発生本体５１を有し、ミスト発生本体５１の下側に供給パイプ４２が連結されている。ミスト発生本体５１は、左側面が凹設され、上下方向に開口した開口凹部５２が形成されている。ミスト発生本体５１の右側面には、上下方向に延びる復水路５３が設けられている。復水路５３の下部は供給パイプ４２と連通している。復水路５３の上部にはミスト誘導筒５４が連結されている。そして、ミスト誘導筒５４で結露した水は復水路５３に還流される。
【００３２】
また、ミスト発生本体５１の左側の開口は、上下方向に延びる薄平板状のヒータ５０によって閉塞されている。ヒータ５０は、一例として、ＰＴＣ（positive temperature coefficient）素子からなる。そして、ヒータ５０とミスト発生本体５１との間に形成される空間域が沸騰室５５となる。この沸騰室５５の下部は、ミスト発生本体５１の下側に形成された下側通路５６を通じて復水路５３と連通している。そして、給水タンク２２から供給パイプ４２に送出された水は、復水路５３及び下側通路５６を介して沸騰室５５に供給される。その結果、沸騰室５５に供給された水は、ヒータ５０によって加熱されて沸騰して高温の温ミストとなる。
【００３３】
なお、下側通路５６における沸騰室５５側の端部には、下側通路５６の開口を拡開する縦溝５７が形成されている。その結果、下側通路５６内の水には復水路５３側から沸騰室５５側に向けて流動するように毛管力が作用するため、下側通路５６内に水が停滞することが抑制される。
【００３４】
なお、ヒータ５０とミスト発生本体５１との間にはヒータパッキン５８が設けられており、このヒータパッキン５８によって沸騰室５５が水密状に封止されている。また、ヒータ５０には、図示しない温度センサが設けられており、この温度センサからの検出信号は制御装置４９に出力される。そして、制御装置４９は、温度センサが所定以上の温度を検出した場合に、ヒータ５０への通電を停止させる。
【００３５】
また、沸騰室５５の下部には、吸水性を有するボイラーフェルト５９が設けられている。ボイラーフェルト５９は、ヒータ５０の加熱面に接触しており、沸騰室５５の壁面を伝って垂下する結露水を吸収する。そして、ボイラーフェルト５９に吸収された水は、ヒータ５０との接触面を通じて徐々に蒸発する。
【００３６】
また、沸騰室５５の上部は、ミスト発生本体５１の上側に形成された上側通路６０を通じて復水路５３と連通している。そして、沸騰室５５で発生した温ミストは復水路５３を通じてミスト誘導筒５４に供給される。なお、沸騰室５５における上側通路６０の開口部にはボイラーメッシュ６１が取着されている。このボイラーメッシュ６１は、沸騰室５５内で突沸により生じる大きな気泡を分解することにより、気泡が破裂する際に生じる湯滴がミスト誘導筒５４を通じてミストノズル１７から飛散することを抑制する。
【００３７】
図２に示すように、ミスト誘導筒５４の上端部には、シリコンゴム等の軟質材料が蛇腹状に形成された蛇腹部材６２の下端部が連結されている。また、蛇腹部材６２の上端部は、略円筒状に形成されたノズルホルダ６３に連結されている。ノズルホルダ６３は、ミストノズル１７の内側にミスト放出口１８を囲むように固着された略円環状のノズルパッキン６４に連結されている。そのため、ヒータ５０により発生した温ミストは、ミスト誘導筒５４及び蛇腹部材６２を通じてミスト放出口１８から放出される。
【００３８】
なお、ミスト誘導筒５４内には放電部６５が設けられている。放電部６５は、制御回路６６（図７参照）に接続された一対の放電針６７と、各放電針６７の間に配設される中間電極６８とから構成されている。そして、放電部６５では、ミストの経路に面するように設置された放電針６７からの高圧放電によって温ミストが微細化される。また、放電針６７の周囲には、吸水性を有する放電フェルト（図示略）が設けられている。放電フェルトは、放電針６７の先端に付着した結露水を吸収することにより、放電針６７からの放電を良好に行わせる。
【００３９】
また、美容器本体１２におけるミスト発生ユニット４６の前方には、帯電微粒子液体発生機構２６が設けられている。帯電微粒子液体発生機構２６にはファン７０が設けられており、このファン７０は図示しない吸気口を通じて取り込んだ空気を上方に延びる送風パイプ７１に送風する。この場合、ファン７０から送風される空気は、送風パイプ７１から帯電微粒子液体放出口２７に送られるが、その一部は副流路（図示略）を通じて静電霧化部７２に供給される。そして、静電霧化部７２は、送風された空気とともに、静電霧化により生成された帯電微粒子液体を送風パイプ７１に還流させる。その結果、帯電微粒子液体放出口２７から帯電微粒子液体が噴出される。なお、送風パイプ７１の先端部近傍の内周面には消音材７３が設けられている。
【００４０】
さて、本実施形態の美容器１０における給水タンク２２のキャップ２９には、流出口３２を閉塞する閉弁位置と流出口３２を開放する開弁位置とに変位可能な開閉弁として止水板８０が設けられている。そこで、止水板８０及びこの止水板８０を傾動可能に支持する支持部材としての止水ピン８１の構成について以下説明する。
【００４１】
図４に示すように、止水板８０は、略円板状をなしており、その上面には凸条８２が突設されている。この凸条８２は、止水板８０の上面の径中心を横切るように止水板８０の径方向全域に亘って延びている。また、止水板８０の外側面には円環状の凹溝８３が形成されており、この凹溝８３に弾性材料からなる止水パッキン８４が嵌着されている。
【００４２】
止水ピン８１は、上下方向に延びる略円柱状の軸部８５を有しており、この軸部８５の下端部には、軸部８５の外周面から径方向外側に延出した略円環状のフランジ部８６が形成されている。また、フランジ部８６には、平板状をなす一対の延出部８７が延設されている。この一対の延出部８７は、フランジ部８６の外側に向かう水平方向と交差する方向に距離をおいて互いに平行に延びている。この一対の延出部８７の間の距離は、止水板８０に設けられた凸条８２の幅寸法と同程度に設定されている。また、この一対の延出部８７は、フランジ部８６から鉛直下方に向けて延びており、その下端面が軸部８５に向けて上り勾配となるように水平方向に対して傾斜した傾斜面８８（図５参照）となっている。そして、この一対の延出部８７の傾斜面８８の間には、止水板８０に設けられた凸条８２と同程度の幅寸法を有する溝８９が形成されている。
【００４３】
また、図５及び図６に示すように、各延出部８７における下端寄りの位置には、各延出部８７の側面の法線方向となる水平方向において対向配置となるように円柱状の凸部９０がそれぞれ突設されている。これらの凸部９０は、軸部８５の軸線方向と交差する径方向において軸部８５に対して外れた位置に配置されている。すなわち、これらの凸部９０は、平面視において軸部８５とは異なる位置に配置されている。そして、これらの凸部９０が止水板８０の凸条８２に設けられた円形状の凹部９１に対して回動自在に嵌合することにより、止水板８０が止水ピン８１によって凸部９０を中心として傾動可能に支持されている。すなわち、止水ピン８１の凸部９０は、止水板８０の傾動軸として機能する。
【００４４】
そして、図５に示すように、止水ピン８１の軸部８５は、キャップ２９の上方に設けられたピンガイド９２に取り付けられる。このピンガイド９２は、止水ピン８１の軸部８５が挿入される挿入孔９３を有する筒部９４から十字状のリブ９５が延出され、そのリブ９５の先端がキャップ２９に嵌着されている。また、筒部９４の挿入孔９３の内面には半円形状の突起（図示略）が形成されており、この突起が止水ピン８１の軸部８５の外周面に対して軸部８５の軸線方向に延びるように形成された凹溝９６（図４参照）に対して係合する。そのため、止水ピン８１の軸部８５は、ピンガイド９２の筒部９４に挿入されると、軸部８５を中心とした周方向において位置決めされる。この場合、止水ピン８１において止水板８０の傾動中心となる凸部９０は、キャップ２９の流出口３２の口縁から流出口３２の開口を狭めるように設けられた係止部９７と対応する位置に配置される。
【００４５】
なお、ピンガイド９２の筒部９４と止水ピン８１のフランジ部８６との間には、バネ９８が縮設されている。そのため、止水ピン８１は、バネ９８の弾性力によって下方に付勢されている。したがって、止水ピン８１に支持された止水板８０の止水パッキン８４がキャップ２９の流出口３２の口縁に対して密着することにより、キャップ２９の流出口３２が水密状に封止されている。
【００４６】
次に、美容器１０の電気的構成について説明する。
図７に示すように、制御装置４９は、制御回路６６と、この制御回路６６に電気的に接続される表示回路１００及び帯電微粒子液体発生機構用回路１０１とを有している。
【００４７】
制御回路６６は、ミスト発生ユニット４６のヒータ５０と、電源ボタン２３に連結された電源ボタンスイッチ１０２と、放電部６５の放電針６７と、電源供給用の電源コード（図示略）とに電気的に接続されている。
【００４８】
表示回路１００は、モード切替ボタン２４に連結されたモード切替スイッチ１０３と、運転制御ボタン２５に連結された運転制御スイッチ１０４と、温ミスト表示ＬＥＤ１０５と、毛先ケアモード表示ＬＥＤ１０６と、静電霧化モード表示ＬＥＤ１０７と、異常検知ＬＥＤ１０８とを備えている。そして、表示回路１００は、ミスト発生ユニット４６の温度センサと、傾斜検知マイクロスイッチ４８とに電気的に接続されている。
【００４９】
なお、異常検知ＬＥＤ１０８は、温ミストモードで傾斜検知マイクロスイッチ４８が美容器１０の浮きを検知した場合や、ミスト発生ユニット４６の温度センサが異常な高温を検知した場合に点灯することにより、美容器１０に異常が生じたことを使用者に知らせる。
【００５０】
次に、上記のように構成された美容器１０の作用について、特に、タンクホルダ３４への給水タンク２２の装着時における止水板８０の作用に着目して以下説明する。
さて、給水タンク２２がタンクホルダ３４に対して上方から挿入されると、タンクホルダ３４の底部から上方に突出している給水バー４３の先端部（上端部）が止水板８０を下方から押し上げることにより、止水板８０を閉弁位置から開弁位置に変位させようとする。
【００５１】
ここで、図８（ａ）に示すように、止水板８０が止水ピン８１に対して傾動不能に固定されているとする。この場合、給水バー４３の先端部が止水板８０を下方から押し上げると、止水板８０を固定している止水ピン８１がキャップ２９内に押し込まれて上動する。
【００５２】
すると、図８（ｂ）に示すように、止水板８０とキャップ２９の流出口３２との間に隙間が形成されることにより、キャップ２９内に充填されていた水はその表面張力によって止水板８０とキャップ２９の流出口３２との間の隙間に滞留する。そして、キャップ２９の外部の空気が止水板８０とキャップ２９の流出口３２との間の隙間を通じてキャップ２９内に流入しようとする。
【００５３】
この場合、止水板８０は、水平姿勢を保ちつつキャップ２９内に押し込まれるため、止水板８０とキャップ２９の流出口３２との間の隙間には、キャップ２９の外部からの大気圧が均等に作用する。そのため、キャップ２９の外部から作用する大気圧が、止水板８０とキャップ２９の流出口３２との間に滞留する水の表面張力を打ち破ることができず、キャップ２９の外部から流出口３２を通じて空気が円滑に流入されない。その結果、給水タンク２２内の水がキャップ２９の流出口３２を通じてタンクホルダ３４に円滑に導出されない虞があった。
【００５４】
この点、図９（ａ）に示すように、本実施形態では、止水板８０が止水ピン８１に対して傾動可能に支持されている。そして、止水板８０を傾動可能に支持する止水ピン８１の凸部９０は、平面視において止水板８０の下面中央から外れた位置に位置している。
【００５５】
そのため、図９（ｂ）に示すように、キャップ２９の流出口３２を閉塞する閉弁位置に位置している止水板８０の下面中央が給水バー４３の先端部によって下方から押し上げられると、止水板８０が止水ピン８１の凸部９０を傾動中心としてキャップ２９の内奥側に傾動する。
【００５６】
この場合、止水板８０は、水平方向に対して傾斜しつつキャップ２９内に押し込まれるため、止水板８０とキャップ２９の流出口３２との間の隙間には、キャップ２９の外部からの大気圧がキャップ２９の内奥側に位置する部分に大きく偏って作用する。そのため、キャップ２９の外部から作用する大気圧が、止水板８０とキャップ２９の流出口３２との間に滞留する水の表面張力を打ち破ることにより、キャップ２９の外部から流出口３２を通じて空気が円滑に流入する。その結果、給水タンク２２内の水がキャップ２９の流出口３２を通じてタンクホルダ３４に円滑に導出される。
【００５７】
なお、止水板８０がキャップ２９の内奥側に傾動すると、止水板８０の上面が止水ピン８１の延出部８７の下端面にて構成される傾斜面８８によって上方から係止される。この点で、本実施形態では、止水ピン８１の延出部８７の傾斜面８８は、止水板８０の傾斜角度を規制する第１の規制部として機能する。この際、止水ピン８１の延出部８７における傾斜面８８の傾斜角度は、キャップ２９の外部から作用する大気圧が止水板８０とキャップ２９の流出口３２との間に滞留する水の表面張力を打ち破ることができる傾斜角度（本実施形態では一例として２５度）に設定されている。
【００５８】
また、止水板８０がキャップ２９の内奥側に傾動する際には、止水板８０の凸条８２が止水ピン８１における一対の延出部８７の傾斜面８８の間に形成される溝８９の内側に進入する。この場合、止水板８０の凸条８２の幅寸法は、止水ピン８１の溝８９の幅寸法と同程度に設定されているため、止水板８０がその傾動軸の軸線方向（止水ピン８１の凸部９０の突出方向）に傾くことが規制される。この点で、止水ピン８１の溝８９は、止水板８０の傾斜方向を規制する第２の規制部として機能する。
【００５９】
ところで、本実施形態では、タンクホルダ３４から給水タンク２２を取り外すと、給水バー４３の先端部が止水板８０から離れることにより、給水バー４３による止水板８０への上方への押し上げが解除される。すると、止水板８０を支持する止水ピン８１がバネ９８の弾性復帰力に従って下方に付勢されることにより、止水板８０が止水ピン８１とともに下動してキャップ２９の流出口３２を水密状に封止する。
【００６０】
この場合、止水板８０は、給水タンク２２内からの水の流出経路上における下流端に位置する流出口３２を封止する。そのため、タンクホルダ３４から給水タンク２２から取り外す際には、その取り外し時に給水タンク２２に貯留されていた全量の水が止水板８０によって塞き止められる。したがって、タンクホルダ３４から給水タンク２２を取り外す際に、給水タンク２２から水が流出して周囲に飛散することが抑制される。
【００６１】
なお、本実施形態では、止水板８０の傾斜角度が止水ピン８１の延出部８７の傾斜面８８によって規制されるため、タンクホルダ３４への給水タンク２２の装着時において、止水板８０の傾斜角度の大きさが過大となることが回避される。その結果、給水タンク２２がタンクホルダ３４から取り外された際に、給水タンク２２の流出口３２が止水板８０によって速やかに閉塞されるため、給水タンク２２から水が流出して周囲に飛散することがより確実に抑制される。
【００６２】
したがって、本実施形態によれば、以下に示す効果を得ることができる。
（１）給水タンク２２がタンクホルダ３４から取り外される際には、流出部３３における下流側端部となる流出口３２が止水板８０によって閉塞されるため、給水タンク２２から水が流出して周囲に飛散することを抑制できる。
【００６３】
（２）給水タンク２２がタンクホルダ３４に装着されると、タンクホルダ３４に設けられた給水バー４３が止水板８０を傾動させる。その結果、止水板８０の傾動に伴って、止水板８０における流出部３３の内奥側に傾いた部位に外部からの大気圧が偏って作用する。そのため、給水タンク２２の流出口３２と止水板８０との間に介在する水の表面張力に抗して、給水タンク２２の外部から流出口３２を通じて空気が流入し易くなる。したがって、タンクホルダ３４に装着された給水タンク２２から円滑に水を流出させることができる。
【００６４】
（３）止水板８０の傾斜角度が止水ピン８１の延出部８７の傾斜面８８によって規制されるため、止水板８０の傾斜角度の大きさが過大となることが回避される。その結果、給水タンク２２がタンクホルダ３４から取り外された際に、給水タンク２２の流出口３２を止水板８０によって速やかに閉塞することができるため、給水タンク２２から水が流出して周囲に飛散することを更に確実に抑制できる。また、止水板８０の傾斜方向が止水ピン８１の延出部８７の間に形成される溝８９によって規制されるため、止水ピン８１に対する止水板８０の傾動動作を安定して行わせることができる。
【００６５】
（４）止水板８０の傾動中心となる部分が給水タンク２２の流出口３２に設けられた係止部９７によって係止されるため、止水板８０が給水タンク２２の流出口３２から脱落することを規制できる。
【００６６】
なお、上記実施形態は、以下のような別の実施形態に変更してもよい。
・上記実施形態において、図１０に示すように、キャップ２９における流出口３２が形成された下端面を止水板８０の傾斜面８８に沿う斜面状に構成するとともに、止水板８０と止水ピン８１とを傾動不能に一体形成する構成としてもよい。
【００６７】
この構成では、図１１（ａ）に示すように、止水ピン８１と一体形成された止水板８０の止水パッキン８４がキャップ２９の流出口３２の口縁に対して密着することにより、キャップ２９の流出口３２を水密状に封止する。
【００６８】
そして、図１１（ｂ）に示すように、キャップ２９の流出口３２を閉塞する閉弁位置に位置している止水板８０の下面中央が給水バー４３の先端部によって下方から押し上げられると、止水板８０が止水ピン８１と一体となってキャップ２９の内奥側に上動する。
【００６９】
この場合、止水板８０とキャップ２９の流出口３２との間に形成される隙間には、キャップ２９の外部からの大気圧がキャップ２９の内奥側に位置する隙間部分に大きく偏って作用する。そのため、キャップ２９の外部から作用する大気圧が、止水板８０とキャップ２９の流出口３２との間に滞留する水の表面張力を打ち破ることにより、キャップ２９の外部から流出口３２を通じて空気が円滑に流入する。その結果、給水タンク２２内の水がキャップ２９の流出口３２を通じてタンクホルダ３４に円滑に導出される。
【００７０】
また、この構成では、止水板８０は、給水タンク２２内からの水の流出経路上における下流端に位置する流出口３２を封止する。そのため、タンクホルダ３４から給水タンク２２から取り外す際には、その取り外し時に給水タンク２２に貯留されていた全量の水が止水板８０によって塞き止められる。したがって、タンクホルダ３４から給水タンク２２を取り外す際に、給水タンク２２から水が流出して周囲に飛散することが抑制される。
【００７１】
・上記実施形態において、止水板８０がキャップ２９の流出口３２から脱落することを防止するための係止部９７を、平面視において止水板８０の傾動中心とは反対側となる位置に設けてもよい。また、この係止部９７を、キャップ２９の流出口３２の口縁全域に亘って延びるように設けてもよい。
【００７２】
・上記実施形態において、止水ピン８１の溝８９の幅寸法は、止水板８０の凸条８２の幅寸法よりも大きく設定してもよい。また、止水板８０の傾斜方向を規制するための構造として止水ピン８１の溝８９を設けない構成としてもよい。
【００７３】
・上記実施形態において、止水板８０の凸条８２の側面に傾動軸として凸部を設け、止水ピン８１の延出部８７の側面に対して止水板８０の凸部が回動自在に嵌合する凹部を設けてもよい。
【００７４】
・上記実施形態において、平面視における止水板８０の径中心となる位置に止水板８０の傾動中心を設けてもよい。すなわち、平面視において軸部８５と同一位置に止水板８０の傾動中心を設けてもよい。この場合、給水バー４３の先端部が止水板８０の下面中央から外れた位置を下方から押し上げることにより、止水ピン８１をキャップ２９の内奥側に傾動させることができる。
【００７５】
・上記実施形態において、給水タンク２２がタンクホルダ３４に装着された際に、止水板８０がキャップ２９の内奥側に傾いていない状態で上動することにより、キャップ２９の下端面に設けられた流出口３２が開放される構成としてもよい。
【００７６】
・上記実施形態において、ミスト発生ユニット４６にて温ミストを生成する構成としたが、例えば温ミストよりも低温の冷ミストを生成する構成としてもよい。
・上記実施形態において、ヒータ５０で加熱して温ミストを生成するための液体として、保湿剤や美白剤などを含む液体や、芳香剤を含む液体を給水タンク２２に貯留してもよい。
【符号の説明】
【００７７】
１０…美容器（美容装置）、１８…ミスト放出口、２２…貯留タンクとしての給水タンク、３２…流出口、３３…流出部、３４…装着部としてのタンクホルダ、４３…凸部としての給水バー、４６…ミスト発生機構としてのミスト発生ユニット、８０…開閉弁としての止水板、８１…支持部材としての止水ピン、８８…第１の規制部としての傾斜面、８９…第２の規制部としての溝、９７…係止部。
【図１】
2013240447.tif 000003
【図２】
2013240447.tif 000004
【図３】
2013240447.tif 000005
【図４】
2013240447.tif 000006
【図５】
2013240447.tif 000007
【図６】
2013240447.tif 000008
【図７】
2013240447.tif 000009
【図８】
2013240447.tif 000010
【図９】
2013240447.tif 000011
【図１０】
2013240447.tif 000012
【図１１】
2013240447.tif 000013